(57)【要約】【課題】  記録媒体に記録された番組（ドラマや映画等）の視聴管理を視聴者ごとに個別に可能とする。【解決手段】  制御部１８は、個人認証部２６によりカメラ部２５にて撮影された画像から一定時間以上顔画像が検出できない場合には、その時点での内部メモリに保存されている個人特定情報と、再生中の記録媒体１１の識別コードと、個人情報入力時の再生位置アドレスとからなる再生状況データを再生状況記憶部１３に記憶する。この後、個人認証部２６によりカメラ部２５にて撮影された画像から再び顔画像が検出され、その顔画像の特徴に基づく認識結果が最初の人物と同じ人物であると判断された場合には、再生状況記憶部１３に記憶されている再生位置アドレスの位置から再生を開始する。【選択図】  図６
2006319853.tif 000002
【特許請求の範囲】
【請求項１】
記録媒体に記録されている情報を再生する再生手段と、
視聴者を撮影する撮像手段と、
前記撮像手段により撮影された視聴者の撮影画像から顔画像を検出する顔画像検出手段と、
前記顔画像検出手段により検出された視聴者の顔画像と予め登録されている個人の顔画像とを比較することによって視聴している個人を認証する認証手段と、
前記再生手段による記録媒体の再生動作を制御する再生制御手段とを備えた映像再生装置であって、
前記顔画像検出手段により検出された顔画像から目の開閉状態を判断する開閉状態判断手段と、
１または複数の視聴者の再生状況を記憶する再生状況記憶手段とをさらに備えており、
前記再生制御手段は、
前記記録媒体の再生動作中において、前記開閉状態判断手段により一定時間以上目が閉じていると判断した場合には、それまで検出していた顔画像の情報と目が閉じた時点での再生位置情報と再生中の記録媒体の固有情報とからなる再生状況データを前記再生状況記憶手段に記憶するとともに、再生動作を継続しつつ音声のフェードアウトを開始し、音声出力が最小になってからさらに任意の時間経過後に再生動作を停止する一方、
前記開閉状態判断手段により再び目が開いたと判断され、前記認証手段による認証結果が前記再生状況記憶手段に記憶されている顔画像情報の人物と同じ人物であると判断された場合には、前記顔画像情報に対応付けられて記憶されている再生位置またはそれより少し前の位置から再生動作を開始することを特徴とする映像再生装置。
【請求項２】
記録媒体に記録されている情報を再生する再生手段と、
個人の情報を予め登録しておく個人情報登録手段と、
各種情報の入力を行う入力手段と、
前記再生手段による記録媒体の再生動作を制御する再生制御手段とを備えた映像再生装置であって、
１または複数の視聴者の再生状況を記憶する再生状況記憶手段をさらに備えており、
前記再生制御手段は、前記記録媒体の再生動作中において、前記入力手段より個人を特定する情報が入力されたとき、再生中の記録媒体の固有情報と個人情報入力時の再生位置情報と入力された個人特定情報とからなる再生状況データを前記再生状況記憶手段に記憶し、前記入力手段より再生指示情報と個人特定情報とが入力されたとき、入力された個人特定情報と前記再生状況記憶手段に記憶されている個人特定情報とを比較し、両情報が一致する場合にはさらに、装填されている記憶媒体の固有情報と前記個人特定情報に対応付けられて記憶されている記録媒体の固有情報とを比較し、両固有情報が一致する場合には、前記個人特定情報に対応付けられて記憶されている再生位置またはそれより少し前の位置から再生動作を開始することを特徴とする映像再生装置。
【請求項３】
記録媒体に記録されている情報を再生する再生手段と、
個人の情報を予め登録しておく個人情報登録手段と、
各種情報の入力を行う入力手段と、
前記再生手段による記録媒体の再生動作を制御する再生制御手段とを備えた映像再生装置であって、
１または複数の視聴者の再生状況を記憶する再生状況記憶手段をさらに備えており、
前記再生制御手段は、前記記録媒体の再生動作中において、前記入力手段より再生停止情報と個人を特定する情報とが入力されたとき、前記記録媒体の再生を停止または一時停止するとともに、再生中の記録媒体の固有情報と再生停止位置情報と入力された個人特定情報とからなる再生状況データを前記再生状況記憶手段に記憶し、前記入力手段より再生指示情報と個人特定情報とが入力されたとき、入力された個人特定情報と前記再生状況記憶手段に記憶されている個人特定情報とを比較し、両情報が一致する場合にはさらに、装填されている記憶媒体の固有情報と前記個人特定情報に対応付けられて記憶されている記録媒体の固有情報とを比較し、両固有情報が一致する場合には、前記個人特定情報に対応付けられて記憶されている再生停止位置またはそれより少し前の位置から再生動作を開始することを特徴とする映像再生装置。
【請求項４】
再生動作の停止状態において、前記入力手段より操作情報が入力されたとき、前記再生状況記憶手段に１または複数の再生状況データが記憶されている場合には、その再生状況データを表示する表示手段をさらに備えたことを特徴とする請求項２または請求項３に記載の映像再生装置。
【請求項５】
前記表示手段に表示された再生状況データの中から、前記入力手段を用いて１つの再生状況データが選択されることにより、前記再生制御手段は、その選択された再生状況データに基づいて前記再生動作を開始することを特徴とする請求項４に記載の映像再生装置。
【請求項６】
（請求項６〜９：視聴者がトイレ等に行った場合）
記録媒体に記録されている情報を再生する再生手段と、
視聴者を撮影する撮像手段と、
前記撮像手段により撮影された視聴者の撮影画像から顔画像を検出する顔画像検出手段と、
前記顔画像検出手段により検出された視聴者の顔画像と予め登録されている個人の顔画像とを比較することによって視聴している個人を認証する認証手段と、
前記再生手段による記録媒体の再生動作を制御する再生制御手段とを備えた映像再生装置であって、
１または複数の視聴者の再生状況を記憶する再生状況記憶手段をさらに備えており、
前記再生制御手段は、
前記記録媒体の再生動作中において、前記顔画像検出手段により一定時間以上顔画像が検出できない場合には、それまで検出していた顔画像の情報と顔画像が検出できなくなった時点での再生位置情報と再生中の記録媒体の固有情報とからなる再生状況データを前記再生状況記憶手段に記憶し、前記顔画像検出手段により再び顔画像が検出され、前記認証手段による認証結果が前記再生状況記憶手段に記憶されている顔画像情報の人物と同じ人物であると判断された場合にはさらに、装填されている記録媒体の固有情報と前記顔画像情報に対応付けられて記憶されている記録媒体の固有情報とを比較し、両固有情報が一致する場合には、前記顔画像情報に対応付けられて記憶されている再生位置またはそれより少し前の位置から再生動作を開始することを特徴とする映像再生装置。
【請求項７】
前記再生制御手段は、前記記録媒体の再生動作中において、前記顔画像検出手段により一定時間以上顔画像が検出できない場合には、その時点で再生動作を停止または一時停止状態とすることを特徴とする請求項６に記載の映像再生装置。
【請求項８】
前記再生制御手段は、前記顔画像検出手段により顔画像が検出できない時間が一定時間以内である場合には、再生動作を停止または一時停止することなくそのまま継続することを特徴とする請求項６に記載の映像再生装置。
【請求項９】
前記再生制御手段は、前記顔画像検出手段により再び顔画像が検出され、前記認証手段による認証結果が前記再生状況記憶手段に記憶されている顔画像情報の人物と異なる人物であると判断された場合には、再生動作が停止または一時停止状態であることを表示手段に表示することを特徴とする請求項７に記載の映像再生装置。
【請求項１０】
（請求項１０〜１２：その場に居るが背中等を向けている場合）
記録媒体に記録されている情報を再生する再生手段と、
視聴者を撮影する撮像手段と、
前記撮像手段により撮影された視聴者の撮影画像から顔画像を検出する顔画像検出手段と、
前記顔画像検出手段により検出された視聴者の顔画像と予め登録されている個人の顔画像とを比較することによって視聴している個人を認証する認証手段と、
前記再生手段による記録媒体の再生動作を制御する再生制御手段とを備えた映像再生装置であって、
前記撮像手段により撮影された視聴者の撮影画像から動的対象の有無を判断する動的対象判断手段と、
１または複数の視聴者の再生状況を記憶する再生状況記憶手段とをさらに備えており、
前記再生制御手段は、
前記記録媒体の再生動作中において、前記動的対象判断手段により動的対象有りと判断され、かつ、前記顔画像検出手段により顔画像が検出できないと判断された場合には、それまで検出していた顔画像の情報と顔画像が検出できなくなった時点での再生位置情報と再生中の記録媒体の固有情報とからなる再生状況データを前記再生状況記憶手段に記憶し、前記顔画像検出手段により再び顔画像が検出され、前記認証手段による認証結果が前記再生状況記憶手段に記憶されている顔画像情報の人物と同じ人物であると判断された場合には、前記顔画像情報に対応付けられて記憶されている再生位置またはそれより少し前の位置から再生動作を開始することを特徴とする映像再生装置。
【請求項１１】
前記再生制御手段は、前記記録媒体の再生動作中において、前記顔画像検出手段により一定時間以上顔画像が検出できない場合には、その時点で再生動作を停止または一時停止状態とすることを特徴とする請求項１０に記載の映像再生装置。
【請求項１２】
前記再生制御手段は、前記顔画像検出手段により顔画像が検出できない時間が一定時間以内である場合には、再生動作を停止または一時停止することなくそのまま継続することを特徴とする請求項１０に記載の映像再生装置。
【請求項１３】
（請求項１３〜１５：居眠りしている場合）
記録媒体に記録されている情報を再生する再生手段と、
視聴者を撮影する撮像手段と、
前記撮像手段により撮影された視聴者の撮影画像から顔画像を検出する顔画像検出手段と、
前記顔画像検出手段により検出された視聴者の顔画像と予め登録されている個人の顔画像とを比較することによって視聴している個人を認証する認証手段と、
前記再生手段による記録媒体の再生動作を制御する再生制御手段とを備えた映像再生装置であって、
前記顔画像検出手段により検出された顔画像から目の開閉状態を判断する開閉状態判断手段と、
１または複数の視聴者の再生状況を記憶する再生状況記憶手段とをさらに備えており、
前記再生制御手段は、
前記記録媒体の再生動作中において、前記開閉状態判断手段により一定時間以上目が閉じていると判断した場合には、それまで検出していた顔画像の情報と目が閉じた時点での再生位置情報と再生中の記録媒体の固有情報とからなる再生状況データを前記再生状況記憶手段に記憶し、前記開閉状態判断手段により再び目が開いたと判断され、前記認証手段による認証結果が前記再生状況記憶手段に記憶されている顔画像情報の人物と同じ人物であると判断された場合には、前記顔画像情報に対応付けられて記憶されている再生位置またはそれより少し前の位置から再生動作を開始することを特徴とする映像再生装置。
【請求項１４】
前記再生制御手段は、前記開閉状態判断手段により一定時間以上目が閉じていると判断した場合には、その時点で再生動作を停止または一時停止状態とすることを特徴とする請求項１３に記載の映像再生装置。
【請求項１５】
前記再生制御手段は、前記開閉状態判断手段により目の閉じた状態が一定時間以内である場合には、再生動作を停止または一時停止することなくそのまま継続することを特徴とする請求項１３に記載の映像再生装置。
【請求項１６】
前記再生制御手段は、本装置の電源がオフ状態からオン状態になったとき、前記認証手段により視聴している個人を認証し、前記再生状況記憶手段に前記認証した個人のデータが存在する場合には、その個人の再生状況データを表示手段に表示して視聴者に通知することを特徴とする請求項６、１０、１３のいずれかに記載の映像再生装置。
【請求項１７】
前記再生状況記憶手段に記憶されている再生状況データを、視聴終了後に自動消去することを特徴とする請求項２、３、６、１０、１３のいずれかに記載の映像再生装置。
【請求項１８】
前記再生状況記憶手段に記憶されている再生状況データを、視聴者または管理権限を有する管理者によって任意に消去可能としたことを特徴とする請求項２、３、６、１０、１３のいずれかに記載の映像再生装置。
【発明の詳細な説明】
【技術分野】
【０００１】
本発明は、ＤＶＤ等の映像メディア（記録媒体）に記録された映像情報を再生可能な再生装置に係り、より詳細には、映像再生中にその場を一時的に離れるような場合の使い勝手の向上を図るとともに、視聴者の在否や睡眠状態を検出する技術を加味することによって、視聴者が再生映像を見逃した場合の使い勝手の向上を図った映像再生装置に関する。
【背景技術】
【０００２】
従来、例えばＤＶＤプレーヤなどでドラマや映画等の映像を再生して視聴している場合において、トイレに行ったり、別の用事をしたりして、一時的にモニタ画面から目を離す場合には、再生装置を一時停止などにしておかない限り、視聴している映像は再生され続けることになる。そのため、もう一度見逃した部分から視聴しようとする場合には、巻き戻し等を行って、以前見ていたシーンを捜す必要がある。
【０００３】
また、１台のＤＶＤプレーヤを複数人で利用するような一般家庭では、例えば誰かがＤＶＤプレーヤを停止状態にして離れた後で、別の家族がそのＤＶＤプレーヤに装■されている同じ映像メディアを再生して視聴したような場合、その離れた本人が戻ってきて再び続きから視聴するためには、上記と同様、巻き戻し等を行って、離れる前まで見ていたシーンを捜し出す必要がある。このように１台のＤＶＤプレーヤを複数人で利用する場合には、各個人の利用状況に合わせて１台のＤＶＤプレーヤの再生制御を行うことができれば便利であるが、従来、このようなＤＶＤプレーヤは提供されていない。
【０００４】
また、１台のＤＶＤプレーヤを複数人で利用するためには、各個人を認証する必要があるが、このような認証技術を利用して種々の制御を行うことは、テレビジョン受像機等の映像機器の分野では従来から種々提案されている。
【０００５】
例えば、特許文献１に記載の映像機器は、テレビジョン受像機に視聴者の覚醒度を検出する覚醒度検出手段を備え、この覚醒度検出手段により視聴者が居眠り状態であることを検出すると、記録手段を動作させるとともに、テレビジョン受像機の電源をオフするように構成されている。この映像機器では、覚醒度検出手段は、撮影手段で撮影している視聴者の顔面に赤外線を照射し、その網膜反射像を観察することで、居眠り状態か睡眠状態かを判断するようになっている。
【０００６】
また、特許文献２に記載の映像機器は、テレビ放送の映像及び音声を含む受信情報を記録可能な記録媒体と、テレビ視聴者の目線を検出する目線検出部と、テレビ視聴中に目線検出部によってテレビ視聴者の目線が所定の判定期間にわたり検出されているか否かを判定する目線検出判定手段と、この目線検出判定手段によってテレビ視聴者の目線が所定の判定期間にわたり検出されていないと判定されたときには、受信情報の記録媒体への記録を開始する記録開始手段とを設けた構成となっている。
【特許文献１】特開平９−３４４２４号公報
【特許文献２】特開２００４−３６３８００号公報
【発明の開示】
【発明が解決しようとする課題】
【０００７】
上記したように、従来の映像機器にカメラや画像処理装置等を組み合わせて視聴者の居眠り状態を検出し、その検出結果に応じて電源をオフしたり、記録媒体への情報の記録を開始するような技術は既に提案されている。
【０００８】
一方、このような映像機器が設置される場所は通常一般家庭であり、一般家庭では、父、母、姉、弟といった複数の人物が同じ映像機器を同時にまたは個別に視聴することになる。従って、上記特許文献１，２のような機能を実現するためには、個人を特定して実施する必要があるが、上記特許文献１，２のものでは、個人の特定までは考慮されておらず、従って、個人ごとに適切な対応を取ること、すなわち、同じ番組（ドラマや映画等）を複数の視聴者が同時または個別に視聴した場合の視聴者ごとの個別視聴管理までは全く考慮されていないといった問題があった。
【０００９】
本発明はかかる問題点を解決すべく創案されたもので、その目的は、記録媒体に記録された番組（ドラマや映画等）の視聴管理を視聴者ごとに個別に可能とした映像再生装置を提供することにある。より具体的に説明すると、映像再生中にその場を一時的に離れるような場合の使い勝手の向上を図るとともに、視聴者の在否や睡眠状態を検出する技術を加味することによって、視聴者が再生映像を見逃した場合の使い勝手の向上を図った映像再生装置を提供することにある。
【課題を解決するための手段】
【００１０】
本発明の映像再生装置は、記録媒体に記録されている情報を再生する再生手段と、個人の情報を予め登録しておく個人情報登録手段と、各種情報の入力を行う入力手段と、前記再生手段による記録媒体の再生動作を制御する再生制御手段とを備えた映像再生装置であって、１または複数の視聴者の再生状況を記憶する再生状況記憶手段をさらに備えている。そして、再生制御手段は、記録媒体の再生動作中において、入力手段より個人を特定する情報が入力されたとき、再生中の記録媒体の固有情報と個人情報入力時の再生位置情報と入力された個人特定情報とからなる再生状況データを再生状況記憶手段に記憶する。この後、入力手段より再生指示情報と個人特定情報とが入力されると、再生制御手段は、入力された個人特定情報と再生状況記憶手段に記憶されている個人特定情報とを比較し、両情報が一致する場合にはさらに、装■されている記憶媒体の固有情報と個人特定情報に対応付けられて記憶されている記録媒体の固有情報とを比較する。そして、両固有情報が一致する場合には、個人特定情報に対応付けられて記憶されている再生位置またはそれより少し前の位置から再生動作を開始する。
【００１１】
このように、本発明の映像再生装置によれば、各個人の再生情報（すなわち、どこまで再生して停止または一時停止したのかといった情報）を再生状況記憶手段に記憶しておくことにより、次に同じ番組を続きから再生して視聴しようとする場合、再生状況記憶手段に記憶されているその個人の再生情報を利用して、簡単な操作で再生を開始することができる。これにより、同じ番組を続きから再生して視聴することが可能となる。つまり、本発明の映像再生装置は、同一または個別の番組を複数の視聴者が同時または個別に視聴した場合の視聴者ごとの個別視聴管理を行うことが可能となっている。
【００１２】
この場合、前記再生制御手段は、前記記録媒体の再生動作中において、前記入力手段より再生停止情報と個人を特定する情報とが入力されたとき、前記記録媒体の再生を停止または一時停止するように構成してもよい。
【００１３】
また、再生動作の停止状態において、前記入力手段より操作情報が入力されたとき、前記再生状況記憶手段に１または複数の再生状況データが記憶されている場合には、その再生状況データを表示手段に表示するように構成してもよい。ここで、表示手段とは、映像再生装置を接続しているテレビジョン受像機のモニタ画面等である。
【００１４】
さらに、前記表示手段に表示された再生状況データの中から、前記入力手段を用いて１つの再生状況データが選択されることにより、前記再生制御手段は、その選択された再生状況データに基づいて前記再生動作を開始するように構成してもよい。このように、画面上に表示された再生状況データから選択するといった簡単な操作で、視聴者の所望する位置からの再生動作を即座に開始することが可能となる。
【００１５】
また、本発明の映像再生装置は、記録媒体に記録されている情報を再生する再生手段と、視聴者を撮影する撮像手段と、前記撮像手段により撮影された視聴者の撮影画像から顔画像を検出する顔画像検出手段と、前記顔画像検出手段により検出された視聴者の顔画像と予め登録されている個人の顔画像とを比較することによって視聴している個人を認証する認証手段と、前記再生手段による記録媒体の再生動作を制御する再生制御手段とを備えた映像再生装置であって、１または複数の視聴者の再生状況を記憶する再生状況記憶手段をさらに備えており、前記再生制御手段は、前記記録媒体の再生動作中において、前記顔画像検出手段により一定時間以上顔画像が検出できない場合には、それまで検出していた顔画像の情報と顔画像が検出できなくなった時点での再生位置情報と再生中の記録媒体の固有情報とからなる再生状況データを前記再生状況記憶手段に記憶し、前記顔画像検出手段により再び顔画像が検出され、前記認証手段による認証結果が前記再生状況記憶手段に記憶されている顔画像情報の人物と同じ人物であると判断された場合にはさらに、装■されている記録媒体の固有情報と前記顔画像情報に対応付けられて記憶されている記録媒体の固有情報とを比較し、両固有情報が一致する場合には、前記顔画像情報に対応付けられて記憶されている再生位置またはそれより少し前の位置から再生動作を開始することを特徴とする。
【００１６】
このように、本発明の映像再生装置によれば、各個人の再生情報（すなわち、どこまで再生して停止または一時停止したのかといった情報）を再生状況記憶手段に記憶しておくことにより、次に同じ番組を続きから再生して視聴しようとする場合、再生状況記憶手段に記憶されているその個人の再生情報を利用して、再生を開始することができる。この場合、顔画像検出手段と認証手段を備えているので、個人の特定をこれら手段を用いて自動的に行うことができるため、視聴者は、いちいち入力手段を用いて操作しなくても、同じ番組を続きから再生して視聴することが可能となる。つまり、本発明の映像再生装置は、同一または個別の番組を複数の視聴者が同時または個別に視聴した場合の視聴者ごとの個別視聴管理を、認証手段を用いて自動的に行うことが可能となっている。
【００１７】
この場合、前記再生制御手段は、前記記録媒体の再生動作中において、前記顔画像検出手段により一定時間以上顔画像が検出できない場合には、その時点で再生動作を停止または一時停止状態とするように構成してもよい。これにより、誰も見ていないのに再生動作だけが継続するといった無駄な再生を無くすことができる。
【００１８】
また、前記再生制御手段は、前記顔画像検出手段により顔画像が検出できない時間が一定時間以内である場合には、再生動作を停止または一時停止することなくそのまま継続するように構成してもよい。すなわち、顔画像が検出できない時間が例えば２〜３秒等の短い時間（一定時間）内である場合には、視聴者がたまたま横や後ろを向いていると考えられるので、このような場合まで再生動作をいちいち停止する必要がないからである。
【００１９】
また、前記再生制御手段は、前記顔画像検出手段により再び顔画像が検出され、前記認証手段による認証結果が前記再生状況記憶手段に記憶されている顔画像情報の人物と異なる人物であると判断された場合には、再生動作が停止または一時停止状態であることを表示手段に表示するように構成してもよい。これにより、別人による不用意な操作等を未然に防止することができる。
【００２０】
また、本発明の映像再生装置は、記録媒体に記録されている情報を再生する再生手段と、視聴者を撮影する撮像手段と、前記撮像手段により撮影された視聴者の撮影画像から顔画像を検出する顔画像検出手段と、前記顔画像検出手段により検出された視聴者の顔画像と予め登録されている個人の顔画像とを比較することによって視聴している個人を認証する認証手段と、前記再生手段による記録媒体の再生動作を制御する再生制御手段とを備えた映像再生装置であって、前記撮像手段により撮影された視聴者の撮影画像から動的対象の有無を判断する動的対象判断手段と、１または複数の視聴者の再生状況を記憶する再生状況記憶手段とをさらに備えており、前記再生制御手段は、前記記録媒体の再生動作中において、前記動的対象判断手段により動的対象有りと判断され、かつ、前記顔画像検出手段により顔画像が検出できないと判断された場合には、それまで検出していた顔画像の情報と顔画像が検出できなくなった時点での再生位置情報と再生中の記録媒体の固有情報とからなる再生状況データを前記再生状況記憶手段に記憶し、前記顔画像検出手段により再び顔画像が検出され、前記認証手段による認証結果が前記再生状況記憶手段に記憶されている顔画像情報の人物と同じ人物であると判断された場合には、前記顔画像情報に対応付けられて記憶されている再生位置またはそれより少し前の位置から再生動作を開始することを特徴とする。
【００２１】
本発明によれば、視聴者が映像再生装置の前に居るものの、何かの用事をしているために、再生画面を常に直視している状態ではない状況を動的対象判断手段によって判断した場合には、その時点での再生位置情報を記録するとともに、顔画像検出手段により再び顔画像が検出され、かつ、認証手段による認証結果が最初の人物と同じ人物であると判断された場合には、記録した再生位置に戻って再生を開始するようになっている。つまり、視聴者が何か他の用事をしている間、再生動作が継続されている場合であっても、視聴者が再び再生映像を視聴し始めたときには、先ほど記録した再生位置に戻って再生を開始するため、視聴者は、他の用事をする前のシーンから続けて視聴することができる。
【００２２】
この場合、前記再生制御手段は、前記記録媒体の再生動作中において、前記顔画像検出手段により一定時間以上顔画像が検出できない場合には、その時点で再生動作を停止または一時停止状態とするように構成してもよい。これにより、誰も見ていないのに再生動作だけが継続するといった無駄な再生を無くすことができる。
【００２３】
また、前記再生制御手段は、前記顔画像検出手段により顔画像が検出できない時間が一定時間以内である場合には、再生動作を停止または一時停止することなくそのまま継続するように構成してもよい。すなわち、顔画像が検出できない時間が例えば２〜３秒等の短い時間（一定時間）内である場合には、視聴者がたまたま横や後ろを向いていると考えられるので、このような場合まで再生動作をいちいち停止する必要がないからである。
【００２４】
また、本発明の画像再生装置は、記録媒体に記録されている情報を再生する再生手段と、視聴者を撮影する撮像手段と、前記撮像手段により撮影された視聴者の撮影画像から顔画像を検出する顔画像検出手段と、前記顔画像検出手段により検出された視聴者の顔画像と予め登録されている個人の顔画像とを比較することによって視聴している個人を認証する認証手段と、前記再生手段による記録媒体の再生動作を制御する再生制御手段とを備えた映像再生装置であって、前記顔画像検出手段により検出された顔画像から目の開閉状態を判断する開閉状態判断手段と、１または複数の視聴者の再生状況を記憶する再生状況記憶手段とをさらに備えており、前記再生制御手段は、前記記録媒体の再生動作中において、前記開閉状態判断手段により一定時間以上目が閉じていると判断した場合には、それまで検出していた顔画像の情報と目が閉じた時点での再生位置情報と再生中の記録媒体の固有情報とからなる再生状況データを前記再生状況記憶手段に記憶し、前記開閉状態判断手段により再び目が開いたと判断され、前記認証手段による認証結果が前記再生状況記憶手段に記憶されている顔画像情報の人物と同じ人物であると判断された場合には、前記顔画像情報に対応付けられて記憶されている再生位置またはそれより少し前の位置から再生動作を開始することを特徴とする。
【００２５】
本発明によれば、一定時間以上目が閉じていると判断した場合には、その時点での再生位置情報を記録するとともに、目が再び開いたと判断され、かつ、認証手段による認証結果が最初の人物と同じ人物であると判断された場合にのみ、記録した再生位置に戻って再生を開始するようになっている。つまり、視聴者が居眠りをしている間、再生動作が継続されている場合であっても、視聴者が居眠りから覚めたときには、居眠り直前の再生位置に戻って再生を開始するため、視聴者は、居眠りする直前のシーンから続けて視聴することができる。
【００２６】
この場合、前記再生制御手段は、前記開閉状態判断手段により一定時間以上目が閉じていると判断した場合には、その時点で再生動作を停止または一時停止状態とするように構成してもよい。これにより、誰も見ていないのに再生動作だけが継続するといった無駄な再生を無くすことができる。
【００２７】
また、前記再生制御手段は、前記開閉状態判断手段により目の閉じた状態が一定時間以内である場合には、再生動作を停止または一時停止することなくそのまま継続するように構成してもよい。すなわち、目の閉じた状態が例えば１〜２秒等の短い時間（一定時間）内である場合には、視聴者が完全に眠っている状態ではないと考えられるので、このような場合まで再生動作をいちいち停止する必要がないからである。
【００２８】
また、前記再生制御手段は、記録媒体の再生動作中において、前記開閉状態判断手段により一定時間以上目が閉じていると判断した場合には、それまで検出していた顔画像の情報と目が閉じた時点での再生位置情報と再生中の記録媒体の固有情報とからなる再生状況データを前記再生状況記憶手段に記憶するとともに、再生動作を継続しつつ音声のフェードアウトを開始し、音声出力が最小になってからさらに任意の時間経過後に再生動作を停止するように構成してもよい。これにより、視聴者の睡眠を妨げることなく、無駄な再生動作を終了させることができ、省電力を実現することができる。
【００２９】
また、前記再生制御手段は、本装置の電源がオフ状態からオン状態になったとき、前記認証手段により視聴している個人を認証し、前記再生状況記憶手段に前記認証した個人のデータが存在する場合には、その個人の再生状況データを表示手段に表示して視聴者に通知するように構成してもよい。これにより、視聴者は、以前に途中まで視聴してそのままになっている番組（ドラマや映画等）があること知ることができる。
【００３０】
なお、前記再生状況記憶手段に記憶されている再生状況データを、視聴者によって視聴終了後に自動消去可能としてもよい。すなわち、視聴者が予め設定しておくことにより、視聴終了後にその視聴者の再生状況データを自動的に消去するように構成してもよい。これにより、不要となった再生状況データが再生状況記憶手段にいつまでも残ってしまうといった不具合を解消することができる。
【００３１】
ただし、前記再生状況記憶手段に記憶されている再生状況データは、視聴者または管理権限を有する管理者によってのみ消去可能とする。これにより、まだ見終わっていない番組（映画やドラマ等）の再生状況データを、管理者を除く第三者に誤って消去されてしまうといった不具合を防止することができる。
【発明の効果】
【００３２】
本発明の映像再生装置によれば、各個人の再生情報（すなわち、どこまで再生して停止または一時停止したのかといった情報）を再生状況記憶手段に記憶しておくことにより、次に同じ番組を続きから再生して視聴しようとする場合、再生状況記憶手段に記憶されているその個人の再生情報を利用して、簡単な操作で再生を開始することができる。これにより、後日視聴する場合でも、同じ番組を続きから再生して視聴することが可能となる。つまり、本発明の映像再生装置は、単独番組を複数の視聴者が同時または個別に視聴した場合の視聴者ごとの個別視聴管理を行うことができる。また、本発明によれば、表示手段に表示された再生状況データの中から、入力手段を用いて１つの再生状況データが選択されることにより、その選択された再生状況データに基づいて再生動作を開始するように構成したので、画面上に表示された再生状況データから選択するといった簡単な操作で、視聴者の所望する位置からの再生動作を即座に開始することができる。
【００３３】
また、本発明の映像再生装置によれば、視聴者が映像再生装置の前に居るものの、何かの用事をしているために、再生画面を常に直視している状態ではない状況を動的対象判断手段によって判断した場合には、その時点での再生位置情報を記録するとともに、顔画像検出手段により再び顔画像が検出され、かつ、認証手段による認証結果が最初の人物と同じ人物であると判断された場合には、記録した再生位置に戻って再生を開始するようになっている。つまり、視聴者が何か他の用事をしている間、再生動作が継続されている場合であっても、視聴者が再び再生映像を視聴し始めたときには、先ほど記録した再生位置に戻って再生を開始するため、視聴者は、他の用事をする前のシーンから続けて視聴することができる。また、本発明によれば、記録媒体の再生動作中において、顔画像検出手段により一定時間以上顔画像が検出できない場合には、その時点で再生動作を停止または一時停止状態とするように構成したので、誰も見ていないのに再生動作だけが継続するといった無駄な再生を無くすことができる。さらに、本発明によれば、顔画像検出手段により再び顔画像が検出され、認証手段による認証結果が再生状況記憶手段に記憶されている顔画像情報の人物と異なる人物であると判断された場合には、再生動作が停止または一時停止状態であることを表示手段に表示するように構成したので、別人による不用意な操作等を未然に防止することができる。
【００３４】
また、本発明の映像再生装置によれば、一定時間以上目が閉じていると判断した場合には、その時点での再生位置情報を記録するとともに、目が再び開いたと判断され、かつ、認証手段による認証結果が最初の人物と同じ人物であると判断された場合には、記録した再生位置に戻って再生を開始するように構成している。これにより、視聴者が居眠りをしている間、再生動作が継続されている場合であっても、視聴者が居眠りから覚めたときには、居眠り直前の再生位置に戻って再生を開始するため、視聴者は、何ら操作することなく、居眠りする直前のシーンから続けて視聴することができる。また、本発明によれば、開閉状態判断手段により一定時間以上目が閉じていると判断した場合には、その時点で再生動作を停止または一時停止状態とするように構成したので、誰も見ていないのに再生動作だけが継続するといった無駄な再生を無くすことができる。また、本発明によれば、記録媒体の再生動作中において、開閉状態判断手段により一定時間以上目が閉じていると判断した場合には、それまで検出していた顔画像の情報と目が閉じた時点での再生位置情報と再生中の記録媒体の固有情報とを再生状況記憶手段に記憶するとともに、再生動作を継続しつつ音声のフェードアウトを開始し、音声出力が最小になってからさらに任意の時間経過後に再生動作を停止するように構成したので、視聴者の睡眠を妨げることなく、無駄な再生動作を終了させることができ、省電力を実現することができる。また、本発明によれば、記録媒体に記録されている情報は、視聴者によって視聴終了後に自動消去可能としたので、限りある記録媒体の記憶容量を効率的に利用することができる。また、本発明によれば、記録媒体に記録されている情報は、視聴者または管理権限を有する管理者によってのみ消去可能としたので、まだ見終わっていない情報（映画やドラマ等）を、管理者を除く第三者に誤って消去されてしまうといった不具合を防止することができる。さらに、本発明によれば、本装置の電源がオフ状態からオン状態になったとき、認証手段により視聴している個人を認証し、再生状況記憶手段に認証した個人のデータが存在する場合には、その個人の再生状況データを表示手段に表示して視聴者に通知するように構成したので、視聴者は、以前に途中まで視聴してそのままになっている番組（ドラマや映画等）があること知ることができる。
【発明を実施するための最良の形態】
【００３５】
以下、本発明の実施の形態について、図面を参照して説明する。
【００３６】
＜実施形態１＞
図１は、本発明の実施形態１に係る映像再生装置１Ａの全体構成を示す機能ブロック図である。本実施形態１の映像再生装置１Ａは、後述するリモコン等を用いてユーザが個人を特定する操作入力を行うことにより、各個人の再生状況を個別に管理可能とした実施形態である。
【００３７】
この映像再生装置１Ａは、ＤＶＤ等の記録媒体（映像メディア）１１を再生可能な再生部１２を備えており、この再生部１２は、後述する制御部１８に接続されている。また、再生部１２の再生音声出力は、ＴＶモニタ１５の音声入力端子１５ｂに接続されており、再生部１２の再生映像出力は、ＯＳＤ（オンスクリーンディスプレイ）回路１４を介してＴＶモニタ１５の映像入力端子１５ａに接続されている。
【００３８】
制御部１８は、図示は省略しているが、ＣＰＵ、ＲＯＭ、ＲＡＭ等により構成されており、再生部１１及びＯＳＤ回路１４をそれぞれ制御するようになっている。この制御部１８には、１または複数の視聴者の再生状況のデータを記憶する再生状況記憶部１３が双方向に接続されている。再生状況記憶部１３としては、ＥＰＲＯＭやＥＥＰＲＯＭ、フラッシュメモリ等の使用が可能である。
また、制御部１８には、各種キー操作信号を制御部１８に入力するキー入力部２１が接続されており、このキー入力部２１には、リモコン２３からのキー操作信号を受信する受信部２２の出力が接続されている。すなわち、キー入力部２１は、装置本体の前面パネルに設けられている各種キー（ボタン等）の操作信号を制御部１８に入力する他、受信部２２で受信されたリモコン２３からのキー操作信号も制御部１８に入力するようになっている。また、制御部１８には、現在時刻を計時する時計部２８や、後述する各種時間を計測するタイマー回路部２９が接続されている。
【００３９】
制御部１８は、再生部１２による記録媒体１１の再生動作中において、リモコン２３より個人を特定する情報が入力されたとき、再生中の記録媒体１１固有の識別コードと個人情報入力時の再生位置情報（再生位置アドレス）と入力された個人特定情報とからなる再生状況データを、再生状況記憶部１３に記憶し、リモコン２３より再生指示情報と個人特定情報とが入力されたとき、入力された個人特定情報と再生状況記憶部１３に記憶されている個人特定情報とを比較し、両情報が一致する場合にはさらに、装■されている記憶媒体１１の識別コードと個人特定情報に対応付けられて記憶されている記録媒体１１の識別コードとを比較し、両識別コードが一致する場合には、個人特定情報に対応付けられて記憶されている再生位置またはそれより少し前の位置から再生動作を開始するようになっている。以下、制御部１８による各種処理動作の実施例について説明する。
【実施例１】
【００４０】
本実施例１は、記録媒体１１を再生動作中において、再生状況データを再生状況記憶部１３に記憶する場合の処理動作であり、本実施例１は家族の一人が単独で視聴している場合の処理動作である。以下、図２に示すフローチャートを参照して説明する。
【００４１】
すなわち、再生部１２による記録媒体１１の再生動作中（ステップＳ１でＹｅｓと判断）において、視聴者が例えばトレイ等に行くためにリモコン２３の図示しない停止キーまたは一時停止キーを操作することによって、停止指示または一時停止指示が制御部１８に入力されると（ステップＳ２でＹｅｓと判断されると）、制御部１８は、再生部１２を制御して記録媒体１１の再生動作を停止する（ステップＳ３）。この後、制御部１８は、その後に個人情報が入力されたか否かを監視する（ステップＳ４）。
【００４２】
ここで、個人情報の入力方法としては、例えば、父、母、姉、弟の４人家族である場合、父の個人情報の入力をリモコン２３の数字「０」「１」キーとし、母の個人情報の入力をリモコン２３の数字「０」「２」キーとし、姉の個人情報の入力をリモコン２３の数字「０」「３」キーとし、弟の個人情報の入力をリモコン２３の「０」「４」キーとすることが可能である。ただし、この入力方法はあくまで一例である。
【００４３】
ここで、例えば視聴者が父であり、リモコン２３から数字「０」「１」が入力されたとすると（ステップＳ４でＹｅｓと判断されると）、制御部１８は、この入力された個人情報「０，１」と、再生中の記録媒体１１の識別コード（例えば、「ａａａａ」）と、個人情報入力時の再生位置情報（再生位置アドレス（例えば「１２３４」）とからなる再生状況データを、再生状況記憶部１３に記憶する（ステップＳ５）。一方、視聴者が停止キーまたは一時停止キーを操作後、任意の時間（例えば５秒等）の間に個人情報の入力を行わなかった場合（ステップＳ４でＮｏと判断された場合）には、再生状況データの記憶を行うことなく、そのまま処理を終了する。
【実施例２】
【００４４】
本実施例２は、記録媒体１１を再生動作中において、再生状況データを再生状況記憶部１３に記憶する場合の処理動作であり、本実施例２は複数人で視聴している場合の処理動作である。以下、図３に示すフローチャートを参照して説明する。
【００４５】
すなわち、再生部１２による記録媒体１１の再生動作中（ステップＳ１１でＹｅｓと判断）において、任意の視聴者（例えは、母）がトレイ等に行くためにリモコン２３の「０」「２」キーを操作することによって、停止指示または一時停止指示が制御部１８に入力されると（ステップＳ１２でＹｅｓと判断されると）、制御部１８は、この入力された個人情報「０，２」と、再生中の記録媒体１１の識別コード（例えば、「ａａａａ」）と、個人情報入力時の再生位置情報（再生位置アドレス（例えば「２３４５」）とからなる再生状況データを、再生状況記憶部１３に記憶する。すなわち、この場合は、複数人で視聴しているため、再生動作を停止することなく、個人情報のみを入力している。
【００４６】
図４は、上記実施例１及び実施例２のようにして再生状況データが記憶された再生状況記憶部１３のデータ構成例を示している。
【００４７】
すなわち、再生状況データは、個人情報、識別コード、再生位置アドレスの各項目からなっている。この実施例では、個人情報として父、母、姉、弟の４人が記憶されており、父（０１）に対応して記録媒体１１の識別コード「ａａａａ」が記憶され、その再生位置アドレスとして「１２３４」が記憶されている。また、母（０２）に対応して記録媒体１１の識別コード「ａａａａ」が記憶され、その再生位置アドレスとして「２３４５」が記憶されている。すなわち、父と母は、同じ記録媒体１１に記録されている同じ番組（映画またはドラマ等）を視聴しており、それぞれの都合に応じた再生位置アドレスが記憶されている。
【００４８】
また、この再生状況記憶部１３には、姉（０３）に対応して記録媒体１１の識別コード「ｂｂｂｂ」が記憶され、その再生位置アドレスとして「１１１１」が記憶されており、弟（０４）に対応して記録媒体１１の識別コード「ｃｃｃｃ」が記憶され、その再生位置アドレスとして「２２２２」が記憶されている。つまり、姉は別の記録媒体１１を再生中に何らかの理由で個人情報の入力操作を行っており、弟もさらに別の記録媒体１１を再生中に何らかの理由で個人情報の入力操作を行っている。
【実施例３】
【００４９】
本実施例３は、停止中または一時停止中の状態において、視聴者が再生操作を行った場合の処理動作である。以下、図５に示すフローチャートを参照して説明する。
【００５０】
すなわち、視聴者がリモコン２３の図示しない「再生」キーを操作することによって、制御部１８に再生指示が入力されると（ステップＳ２１でＹｅｓと判断されると）、制御部１８は、再生状況記憶部１３を参照して再生状況データが記憶されているか否かを確認し（ステップＳ２２）、再生状況データが記憶されていると判断した場合（ステップＳ２２でＹｅｓと判断された場合）には、その再生状況データをＴＶモニタ１５に表示する。このときの表示形態としては種々の形態が可能であるが、例えば図４に示したデータ構成例をそのまま表示することが可能である。
【００５１】
この表示内容を見た視聴者が、リモコン２３より何らかの操作を行うと（ステップＳ２４でＹｅｓと判断されると）、制御部１８は、その入力操作が、ＴＶモニタ１５に表示された再生状況データの中から１つのデータを選択する操作であるか否かを確認する（ステップＳ２５）。上記したように、視聴者が視聴途中でトイレ等に行ったような場合には、その後、トイレ等から戻った同じ視聴者が操作することになる。例えば、視聴者が父である場合には、ＴＶモニタ１５に表示された図４に示す再生状況データの中から最上位のデータを選択することになる。ここで、このときの選択操作としては、例えばリモコン２３の図示しない上下キーを操作することで、画面上に表示されたカーソルを最上位のデータのところまで移動し、その状態でリモコン２３の図示しない決定キーを操作することで、所望する再生状況データを選択することができる。
【００５２】
ステップＳ２５での確認の結果、上記のように１つのデータが選択された場合（ステップＳ２５でＹｅｓと判断された場合）には、次のそのデータに含まれる識別コードが、現在装■中の記録媒体１１から読み取った識別コードと一致するか否かを確認する（ステップＳ２６）。例えば、中座する時間が長かった場合には、その間に別の人が記録媒体１１を入れ換えて視聴し、視聴後にその記録媒体１１をそのまま残している場合もあるため、ステップＳ２６での確認を行う。
【００５３】
その結果、記録媒体の識別コードも一致する場合（ステップＳ２６でＹｅｓと判断された場合）には、上記１つのデータ（この場合には、父（０１）、識別コード「ａａａａ」、再生位置アドレス「１２３４」のデータ）の個人特定情報（父（０１））に対応付けられて記憶されている再生位置アドレス「１２３４」の位置から再生を開始する（ステップＳ２７）。ただし、この場合、記憶されているアドレスの位置より少し前の位置（例えば、時間にして１０秒等前の位置）から再生するようにしてもよい。なお、１つの番組（ドラマや映画等）の視聴を終了したときには、再生状況記憶部１３に記憶されている当該視聴者の再生状況データを自動的に消去するようにしてもよい。これにより、不要となった再生状況データが再生状況記憶部１３にいつまでも残っているといった不具合を解消することができる。
【００５４】
一方、ステップＳ２６での確認の結果、識別コードが一致しない場合（ステップＳ２６でＮｏと判断された場合）には、例えば父が中座中に別の人が記録媒体１１を入れ換えている可能性があるため、ＴＶモニタ１５にエラー表示（例えば、「現在装■されているディスクはあなたが視聴途中のディスクとは異なります。」等のメッセージの表示）を行う（ステップＳ２８）。これにより、視聴者は、記録媒体１１を視聴途中のものと入れ換えて、再度、再生指示を入力すればよい。これにより、ステップＳ２１からの処理が再び実施されることになる。
【００５５】
一方、再生状況記憶部１３に再生状況データが記憶されていない場合（ステップＳ２２でＮｏと判断された場合）、及び視聴者の行った操作が再生状況データの一覧からの選択操作ではなかった場合（ステップＳ２５でＮｏと判断された場合）には、ステップＳ２９へと動作を進め、リモコン２３の再生キーの入力操作である再生指示か否かを確認する。その結果、再生指示である場合（ステップＳ２９でＹｅｓと判断された場合）には、通常通り最初から再生を開始する（ステップＳ３０）。一方、再生指示でない場合（ステップＳ２９でＮｏと判断された場合）には、その入力操作に従った処理を実行する（ステップＳ３１）。
【００５６】
＜実施形態２＞
図６は、本発明の実施形態２に係る映像再生装置の全体構成を示す機能ブロック図である。本実施形態２の映像再生装置１Ｂは、認証技術を用いて各個人を特定することにより、各個人の再生状況を個別に管理可能とした実施形態である。
【００５７】
本実施形態２の映像再生装置１Ｂは、ＤＶＤ等の記録媒体（映像メディア）１１を再生可能な再生部１２を備えており、この再生部１２は、後述する制御部１８に接続されている。また、再生部１２の再生音声出力は、ＴＶモニタ１５の音声入力端子１５ｂに接続されており、再生部１２の再生映像出力は、ＯＳＤ（オンスクリーンディスプレイ）回路１４を介してＴＶモニタ１５の映像入力端子１５ａに接続されている。
【００５８】
制御部１８は、図示は省略しているが、ＣＰＵ、ＲＯＭ、ＲＡＭ等により構成されており、再生部１１及びＯＳＤ回路１４をそれぞれ制御するようになっている。この制御部１８には、１または複数の視聴者の再生状況のデータを記憶する再生状況記憶部１３が双方向に接続されている。再生状況記憶部１３としては、ＥＰＲＯＭやＥＥＰＲＯＭ、フラッシュメモリ等の使用が可能である。
【００５９】
また、制御部１８には、各種キー操作信号を制御部１８に入力するキー入力部２１が接続されており、このキー入力部２１には、リモコン２３からのキー操作信号を受信する受信部２２の出力が接続されている。すなわち、キー入力部２１は、装置本体の前面パネルに設けられている各種キー（ボタン等）の操作信号を制御部１８に入力する他、受信部２２で受信されたリモコン２３からのキー操作信号も制御部１８に入力するようになっている。また、制御部１８には、現在時刻を計時する時計部２８や、後述する各種時間を計測するタイマー回路部２９が接続されている。
【００６０】
また、装置本体には、視聴者を撮影するための撮像部であるカメラ部（ＣＣＤカメラ部）２５が設けられている。このカメラ部２５の出力は、撮影画像から顔画像を検出し、この検出された顔画像に基づいて個人を認証する個人認証部２６に接続されており、この個人認証部２６での認証結果が制御部１８に入力されるようになっている。また、個人認証部２６は、検出した顔画像に基づいて目の開閉状態を判別する機能も備えている。
【００６１】
上記構成において、個人認証部２６には、家族全員の身体的特徴（本実施形態２では、顔の特徴）を示す情報が図示しない内部メモリに予め保存されている。この保存方法としては、例えばリモコン２３の図示しないメニューボタンを操作して認識情報の登録モードを選択する。認識情報登録モードとは、個人認証部２６により認識された被写体の特徴情報を予めメモリ部に保存する処理を実施するモードのことである。
【００６２】
具体的に説明すると、例えば子供の認識データを作成する場合、その子供の顔を、カメラ部２５から指定された距離だけ離れて撮影する。個人認証部２６は、この撮影した顔画像を基に子供認識データを作成する。画像認識技術は従来周知の技術であるので、ここでは詳細な説明を省略する。この子供認識データ（特徴データ）は、内部メモリに保存される。個人認証部２６では、以後、この内部メモリに保存されている認証データに基づいて特定の個人を認証する。
【００６３】
本実施形態２の映像再生装置１Ｂでは、制御部１８は、個人認証部２６による個人認証技術、及び視聴者の在否や睡眠状態の有無等の検知技術を再生動作とうまく組み合わせることによって、視聴者の状態に応じた番組の自動再生処理を実施するようになっている。
【００６４】
以下、制御部１８による自動再生処理について具体的に実施例を挙げて説明する。
【実施例４】
【００６５】
図７及び図８は、本実施例４の自動再生処理を示すフローチャートである。本実施例４は、視聴者が映像再生装置１Ｂ（すなわち、ＴＶモニタ１５）の前から一旦中座し、再び戻ってきた場合の実施例である。
【００６６】
例えば、リモコン２３によってテレビ電源がオンされると（ステップＳ４１でＹｅｓと判断さると）、制御部１８は、カメラ部２５を制御して視聴者の撮影を開始する（ステップＳ４２）。
【００６７】
個人認証部２６は、カメラ部２５により撮影された視聴者の顔画像の特徴量と、予め内部メモリに登録されている家族全員の顔画像の特徴量とを比較することによって視聴者を認証（特定）し、その認証結果（現在視聴中の特定の人物の顔画像の特徴量）を内部メモリに保存する（ステップＳ４３）。
【００６８】
この後、制御部１８は、再生動作中であるか否かを常に監視するとともに（ステップＳ４４）、個人認証部２６は、再生動作中、例えば１〜２秒ごとに、カメラ部２５による撮影画像から顔画像が検出できたか否かを判断する（ステップＳ４５）。そして、顔画像が検出できた場合（ステップＳ４５でＹｅｓと判断された場合）には、顔画像検出信号を制御部１８に出力するとともに（ステップＳ４６）、その顔画像と内部メモリに保存した特定の人物の顔画像との特徴量を比較することによって、現在視聴している人物が同じ人物であるか否かを常に監視し（ステップＳ４７）、同じ人物である場合には、ステップＳ４２に戻って処理を繰り返す。
【００６９】
一方、ステップＳ４５で顔画像が検出できなかった場合（Ｎｏと判断された場合）には、顔画像未検出信号を制御部１８に出力する（ステップＳ４８）。
【００７０】
制御部１８は、個人認証部２６からの信号を常に監視している。そして、個人認証部２６から顔画像未検出信号を受信すると、タイマー回路部２９を起動して一定時間（例えば５秒等）の計測を開始するとともに（ステップＳ４９）、個人認証部２６から顔画像検出信号を受信したか否かを監視する（ステップＳ５０）。その結果、一定時間経過前に顔画像検出信号を受信した場合（ステップＳ４９でＮｏ、ステップＳ５０でＹｅｓと判断された場合）には、ステップＳ４７へと動作を進める。
【００７１】
一方、一定時間経過しても顔画像検出信号を受信しない場合（ステップＳ４９でＹｅｓと判断された場合）には、視聴者がＴＶモニタ１５の前（すなわち、映像再生装置１Ｂの前）にいないと判断し、再生動作を停止または一時停止するとともに（ステップＳ５１）、その時点での個人特定情報（内部メモリに保存されている個人特定（認証）情報）と、再生中の記録媒体１１の識別コード（例えば、「ａａａａ」）と、個人情報入力時の再生位置アドレス（例えば、「１２３４」）とからなる再生状況データを、再生状況記憶部１３に記憶する（ステップＳ５２）。このときの再生状況記憶部１３に記憶される再生状況データは、実質的には図４に示すデータと同じであり、違うところは、個人情報の欄に記憶される情報が、上記実施形態１ではリモコン２３のキー入力操作に基づく数字２桁のコードであるのに対し、本実施例４では、個人認証部２６により認証された個人情報である点である。
【００７２】
この状態において、制御部１８は、個人認証部２６から顔画像検出信号を受信したか否かを常に監視している（ステップＳ５３）。そして、顔画像検出信号を受信した場合（ステップＳ５３でＹｅｓと判断した場合）には、次に、カメラ部２５で撮影された顔画像の特徴量と内部メモリに保存した特定の人物の顔画像との特徴量を比較することによって、戻ってきた人物が最初の人物と同じ人物であるか否かを判断し（ステップＳ５４）、同じ人物であると判断した場合（ステップＳ５４でＹｅｓと判断した場合）には、次に、装■されている記憶媒体１１の識別コードと、同じ人物であると判断された個人特定情報に対応付けられて記憶されている記録媒体１１の識別コード「ａａａａ」とを比較し（ステップＳ５５）、両識別コードが一致する場合（ステップＳ５５でＹｅｓと判断された場合）には、個人特定情報に対応付けられて記憶されている再生位置アドレス「１２３４」の位置に戻って再生を開始する（ステップＳ５７）。ただし、記録しておいた再生位置アドレス「１２３４」の位置より少し前に戻って再生を開始してもよい。この後、ステップＳ４２に戻って処理を繰り返す。
【００７３】
一方、識別コードが一致しない場合（ステップＳ５５でＮｏと判断された場合）には、ＴＶモニタ１５にエラー表示（例えば、「現在装■されているディスクはあなたが視聴途中のディスクとは異なります。」等のメッセージの表示）を行う（ステップＳ５６）。これにより、視聴者は、記録媒体１１を視聴途中のものと入れ換えて、再度、再生指示を入力すればよい。これにより、ステップＳ４５からの処理が再び実施されることになる。
【００７４】
一方、ステップＳ５４でＮｏと判断された場合、すなわち、戻ってきた人物が最初の人物と異なる場合には、本装置が停止または一時停止状態であることを視聴者に通知して（ステップＳ５８）、ステップＳ５３に戻る。このときの通知方法としては、ＴＶモニタ１５の画面に表示する方法が最も一般的であるが、この他にも音声による通知や、ＬＥＤ等の表示部の点灯または点滅等による通知でもよく、また、これらを組み合わせて通知してもよい。
【００７５】
なお、上記実施例４では、ステップＳ５３で、戻ってきた人物が最初の人物と同じ人物であると判断した場合には、記録しておいた再生位置に戻って自動的に再生を開始するようにしているが、自動再生を行う前に、自動再生を行うか否かを視聴者に選択させるようにしてもよい。すなわち、ＴＶモニタ１５の前を離れた時間が比較的短時間である場合には、視聴者によってはそこを飛ばしてそのまま視聴してもかまわないと考える場合もある。従って、視聴者が戻ってきたとき、見逃したシーンを遡って見るか否かを視聴者に選択させることで、視聴者の意思に則したより使い勝手のよい装置とすることができる。
【００７６】
また、上記実施例４では、戻ってきた人物が最初の人物と異なる場合（ステップＳ５４でＮｏと判断された場合）には、停止または一時停止中であることを視聴者に通知する構成としているが、通知だけでは別の視聴者が誤って電源操作や再生操作を行ってしまう可能性もある。従って、ステップＳ５４でＮｏと判断された場合には、制御部１８は、その異なる人物による操作入力を無効として、停止または一時停止状態を継続するように構成してもよい。この場合、入力が無効であることの警告をＴＶモニタ１５の画面に表示するようにしてもよい。これにより、別人による不用意な操作を確実に防止することが可能となる。
【００７７】
さらに、上記実施例４では、ステップＳ４９において、一定時間経過しても顔画像検出信号を受信しなと判断した場合には、視聴者がＴＶモニタ１５の前（すなわち、映像再生装置１Ｂの前）にいないと判断して、再生動作を停止または一時停止する（ステップＳ５１）ように構成しているが、この場合、再生動作は停止せずに、次のステップＳ５２において、その時点での個人特定情報と、再生中の記録媒体１１の識別コードと、個人情報入力時の再生位置アドレスとからなる再生状況データのみを、再生状況記憶部１３に記憶するようにしてもよい。これにより、同じドラマや映画等を複数人で視聴している場合には、一人がその場を離れても再生動作を継続することで、他の人の視聴を妨げないようにすることができる。
【実施例５】
【００７８】
図９及び図１０は、本実施例５の自動再生処理を示すフローチャートである。本実施例５は、視聴者がＴＶモニタ１５の前（すなわち、映像再生装置１Ｂの前）で居眠りをした場合の実施例である。
【００７９】
例えば、リモコン２３によってテレビ電源がオンされると（ステップＳ６１でＹｅｓと判断さると）、制御部１８は、カメラ部２５を制御して視聴者の撮影を開始する（ステップＳ６２）。
【００８０】
個人認証部２６は、カメラ部２５により撮影された視聴者の顔画像の特徴量と、予め内部メモリに登録されている家族全員の顔画像の特徴量とを比較することによって視聴者を認証（特定）し、その認証結果（現在視聴中の特定の人物の顔画像の特徴量）を内部メモリに保存する（ステップＳ６３）。
【００８１】
この後、制御部１８は、再生動作中であるか否かを常に監視するとともに（ステップＳ６４）、個人認証部２６は、再生動作中、例えば１〜２秒ごとに、カメラ部２５による撮影画像から顔画像が検出できたか否かを判断する（ステップＳ６５）。そして、顔画像が検出できた場合（ステップＳ６５でＹｅｓと判断された場合）には、顔画像検出信号を制御部１８に出力する一方（ステップＳ６６）、その顔画像と内部メモリに保存した特定の人物の顔画像との特徴量を比較することによって、現在視聴している人物が同じ人物であるか否かを常に監視するとともに（ステップＳ６７）、カメラ部２５により撮影された視聴者の顔画像から目の開閉状態を常に判別している（ステップＳ６８）。その結果、同じ人物であり（ステップＳ６７でＹｅｓ）、かつ、目を開けた状態（ステップＳ６８でＹｅｓ）である場合には、ステップＳ６２に戻って処理を繰り返す。
【００８２】
一方、ステップＳ６５で顔画像が検出できなかった場合（Ｎｏと判断された場合）には、顔画像未検出信号を制御部１８に出力する（ステップＳ３９）。なお、この顔画像未検出信号を受信した後の制御部１８の処理は、上記実施例４の図７に示すステップＳ４９以降の処理と同じであるため、ここでは以後の説明を省略する。
【００８３】
また、ステップＳ６８で目が閉じられていると判断した場合（Ｙｅｓと判断された場合）には、居眠り状態であることを示す居眠検出信号を制御部１８に出力する（ステップＳ７０）。
【００８４】
制御部１８は、個人認証部２６からの信号を常に監視している。そして、個人認証部２６から居眠検出信号を受信すると、タイマー回路部２９を起動して一定時間（例えば５秒等）の計測を開始するとともに（ステップＳ７１）、個人認証部２６から居眠検出信号を受信しているか否かを監視する（ステップＳ７２）。その結果、一定時間経過前に居眠検出信号を受信しなくなった場合（ステップＳ７１でＮｏ、ステップＳ７２でＹｅｓと判断された場合）には、ステップＳ６７へと動作を進める。
【００８５】
一方、一定時間経過しても居眠検出信号を受信している場合（ステップＳ７１でＹｅｓと判断された場合）には、視聴者がＴＶモニタ１５の前（すなわち、映像再生装置の前）で一定時間以上目を閉じている居眠り状態であると判断し、再生動作を停止または一時停止するとともに（ステップＳ７３）、その時点での個人特定情報（内部メモリに保存されている個人特定（認証）情報）と、再生中の記録媒体１１の識別コード（例えば、「ａａａａ」）と、個人情報入力時の再生位置アドレス（例えば、「１２３４」）とからなる再生状況データを、再生状況記憶部１３に記憶する（ステップＳ７４）。このときの再生状況記憶部１３に記憶される再生状況データは、上記実施例４の場合と同じである。
【００８６】
この状態において、制御部１８は、個人認証部２６から居眠検出信号を受信しているか否かを常に監視している（ステップＳ７５）。そして、居眠検出信号を受信しなくなった場合（ステップＳ７５でＹｅｓと判断した場合）には、視聴者が再び目を開いたと判断し、次に、カメラ部２５で撮影された顔画像の特徴量と内部メモリに保存した特定の人物の顔画像との特徴量を比較することによって、その人物が最初の人物と同じ人物であるか否かを判断し（ステップＳ７６）、同じ人物であると判断した場合（ステップＳ７６でＹｅｓと判断した場合）には、次に、装■されている記憶媒体１１の識別コードと、同じ人物であると判断された個人特定情報に対応付けられて記憶されている記録媒体１１の識別コード「ａａａａ」とを比較し（ステップＳ７７）、両識別コードが一致する場合（ステップＳ７７でＹｅｓと判断された場合）には、個人特定情報に対応付けられて記憶されている再生位置アドレス「１２３４」の位置に戻って再生を開始する（ステップＳ７９）。ただし、記録しておいた再生位置アドレス「１２３４」の位置より少し前に戻って再生を開始してもよい。この後、ステップＳ６２に戻って処理を繰り返す。
【００８７】
一方、識別コードが一致しない場合（ステップＳ７７でＮｏと判断された場合）には、ＴＶモニタ１５にエラー表示（例えば、「現在装■されているディスクはあなたが視聴途中のディスクとは異なります。」等のメッセージの表示）を行う（ステップＳ７８）。これにより、視聴者は、記録媒体１１を視聴途中のものと入れ換えて、再度、再生指示を入力すればよい。これにより、ステップＳ６５からの処理が再び実施されることになる。
【００８８】
一方、ステップＳ７６でＮｏと判断された場合、すなわち、その人物が最初の人物と異なる場合には、停止または一時停止状態であることを視聴者に通知して（ステップＳ８０）、ステップＳ７５に戻る。このときの通知方法としては、ＴＶモニタ１５の画面に表示する方法が最も一般的であるが、この他にも音声による通知や、ＬＥＤ等の表示部の点灯または点滅等による通知でもよく、また、これらを組み合わせて通知してもよい。
【００８９】
なお、上記実施例５では、ステップＳ７６で、目を覚ました人物が最初の人物と同じ人物であると判断した場合には、記録しておいた再生位置に戻って自動的に再生を開始するようにしているが、自動再生を行う前に、自動再生を行うか否かを視聴者に選択させるようにしてもよい。すなわち、ＴＶモニタ１５の前で眠ってしまった時間が比較的短時間である場合には、視聴者によってはそこを飛ばしてそのまま視聴してもかまわないと考える場合もある。従って、視聴者が居眠りから覚めたとき、見逃したシーンを遡って見るか否かを視聴者に選択させることで、視聴者の意思に則したより使い勝手のよい装置とすることができる。
【００９０】
また、上記実施例５では、実際にはまず起こらないことであるが、居眠りから覚めた人物が最初の人物と異なる場合（ステップＳ７６でＮｏと判断された場合）には、停止または一時停止状態であることを視聴者に通知する構成としているが、通知だけでは別の視聴者が誤って記録媒体１１の取り出し操作やその他の操作を行ってしまう可能性もある。従って、ステップＳ７６でＮｏと判断された場合には、制御部１８は、その異なる人物による操作入力を無効として、停止または一時停止状態を継続するように構成してもよい。この場合、入力が無効であることの警告をＴＶモニタ１５の画面に表示するようにしてもよい。これにより、別人による不用意な操作を確実に防止することが可能となる。
【００９１】
さらに、上記実施例５では、ステップＳ７１において、一定時間経過しても顔画像検出信号を受信しなと判断した場合には、視聴者が居眠り状態であると判断して、再生動作を停止または一時停止する（ステップＳ７３）ように構成しているが、この場合、再生動作は停止せずに、次のステップＳ９４において、その時点での個人特定情報と、再生中の記録媒体１１の識別コードと、個人情報入力時の再生位置アドレスとからなる再生状況データのみを、再生状況記憶部１３に記憶するようにしてもよい。これにより、同じドラマや映画等を複数人で視聴している場合に、一人が居眠り状態であっても再生動作を継続することで、他の人の視聴を妨げないようにすることができる。
【００９２】
さらにまた、上記実施例５では、ステップＳ７１において、一定時間経過しても顔画像検出信号を受信しなと判断した場合には、視聴者が居眠り状態であると判断して、再生動作を停止または一時停止する（ステップＳ７３）ように構成しているが、いきなり停止するのではなく、再生動作を継続しつつ音声のフェードアウトを開始し、音声出力が最小になってからさらに任意の時間（例えば、１〜２分等）経過後に再生動作を停止するようにしてもよい。これにより、視聴者の睡眠を妨げることなく、無駄な再生動作を終了させることができ、省電力を実現することができる。
【実施例６】
【００９３】
図１１及び図１２は、本実施例６の自動再生処理を示すフローチャートである。本実施例６は、視聴者がＴＶモニタ１５の前（すなわち、映像再生装置の前）にいるものの、再生番組を本当に視聴しているかどうか判断できない場合（つまり、ＴＶモニタ１５を視聴しつつ別の作業等を行っているような場合）の実施例である。
【００９４】
リモコン２３によってテレビ電源がオンされると（ステップＳ８１でＹｅｓと判断さると）、制御部１８は、カメラ部２５を制御して視聴者の撮影を開始する（ステップＳ８２）。
【００９５】
個人認証部２６は、カメラ部２５により撮影された視聴者の顔画像の特徴量と、予め内部メモリに登録されている家族全員の顔画像の特徴量とを比較することによって視聴者を認証（特定）し、その認証結果（現在視聴中の特定の人物の顔画像の特徴量）を内部メモリに保存する（ステップＳ８３）。
【００９６】
この後、制御部１８は、再生動作中であるか否かを常に監視するとともに（ステップＳ８４）、個人認証部２６は、再生動作中、例えば１〜２秒ごとに、カメラ部２５による撮影画像から動的対象が検出できたか否かを判断する（ステップＳ８５）。そして、動的対象が検出できた場合（ステップＳ８５でＹｅｓと判断された場合）には、視聴者検出信号を制御部１８に出力する（ステップＳ８６）。次に、個人認証部２６は、カメラ部２５による撮影画像から顔画像が検出できたか否かを判断する（ステップＳ８７）。そして、顔画像が検出できた場合（ステップＳ８７でＹｅｓと判断された場合）には、顔画像検出信号を制御部１８に出力するとともに（ステップＳ８８）、その顔画像と内部メモリに保存した特定の人物の顔画像との特徴量を比較することによって、現在視聴している人物が同じ人物であるか否かを常に監視し（ステップＳ８９）、同じ人物である場合には、ステップＳ８２に戻って処理を繰り返す。
【００９７】
制御部１８は、個人認証部２６からの信号を常に監視している。そして、ステップＳ８５で動的対象を検出できなかった場合（Ｎｏと判断された場合）には、視聴者未検出信号を制御部１８に出力する（ステップＳ９０）。なお、この視聴者未検出信号を受信した後の制御部１８の処理は、上記実施例４の図７に示すステップＳ４９以降の処理と同じであるため、ここでは以後の説明を省略する。
【００９８】
また、制御部１８は、個人認証部２６から視聴者検出信号は受信しているものの、顔画像未検出信号を受信している場合、すなわち、視聴者は検出できているが、顔画像が検出できない場合（ステップＳ８５でＹｅｓ、ステップＳ８７でＮｏと判断された場合）には、タイマー回路部２９を起動して一定時間（例えば５秒等）の計測を開始するとともに（ステップＳ９１）、個人認証部２６から顔画像検出信号を受信したか否かを監視する（ステップＳ９２）。その結果、一定時間経過前に顔画像検出信号を受信した場合（ステップＳ９１でＮｏ、ステップＳ９２でＹｅｓと判断された場合）には、ステップＳ８９へと動作を進める。
【００９９】
一方、一定時間経過しても顔画像検出信号を受信しない場合（ステップＳ９１でＹｅｓと判断された場合）には、視聴者が再生番組を見ているかどうか分からないと判断し、再生動作を停止または一時停止するとともに（ステップＳ９３）、その時点での個人特定情報（内部メモリに保存されている個人特定（認証）情報）と、再生中の記録媒体１１の識別コード（例えば、「ａａａａ」）と、個人情報入力時の再生位置アドレス（例えば、「１２３４」）とからなる再生状況データを、再生状況記憶部１３に記憶する（ステップＳ９４）。このときの再生状況記憶部１３に記憶される再生状況データは、上記実施例５の場合と同じである。
【０１００】
この状態において、制御部１８は、個人認証部２６から顔画像検出信号を受信したか否かを常に監視している（ステップＳ９５）。そして、顔画像検出信号を受信した場合（ステップＳ９５でＹｅｓと判断した場合）には、次に、カメラ部２５で撮影された顔画像の特徴量と内部メモリに保存した特定の人物の顔画像との特徴量を比較することによって、再度検出した顔画像の人物が最初の人物と同じ人物であるか否かを判断し（ステップＳ９６）、同じ人物であると判断した場合（ステップＳ９６でＹｅｓと判断した場合）には、次に、装■されている記憶媒体１１の識別コードと、同じ人物であると判断された個人特定情報に対応付けられて記憶されている記録媒体１１の識別コード「ａａａａ」とを比較し（ステップＳ９７）、両識別コードが一致する場合（ステップＳ９７でＹｅｓと判断された場合）には、個人特定情報に対応付けられて記憶されている再生位置アドレス「１２３４」の位置に戻って再生を開始する（ステップＳ９９）。ただし、記録しておいた再生位置アドレス「１２３４」の位置より少し前に戻って再生を開始してもよい。この後、ステップＳ８２に戻って処理を繰り返す。
【０１０１】
一方、識別コードが一致しない場合（ステップＳ９７でＮｏと判断された場合）には、ＴＶモニタ１５にエラー表示（例えば、「現在装■されているディスクはあなたが視聴途中のディスクとは異なります。」等のメッセージの表示）を行う（ステップＳ９８）。これにより、視聴者は、記録媒体１１を視聴途中のものと入れ換えて、再度、再生指示を入力すればよい。これにより、ステップＳ８５からの処理が再び実施されることになる。
【０１０２】
一方、ステップＳ９６でＮｏと判断された場合、すなわち、その人物が最初の人物と異なる場合には、停止または一時停止状態であることを視聴者に通知して（ステップＳ１００）、ステップＳ９５に戻る。このときの通知方法としては、ＴＶモニタ１５の画面に表示する方法が最も一般的であるが、この他にも音声による通知や、ＬＥＤ等の表示部の点灯または点滅等による通知でもよく、また、これらを組み合わせて通知してもよい。
【０１０３】
なお、上記実施例６では、再度顔画像が検出された人物が最初の人物と異なる場合（ステップＳ９６でＮｏと判断された場合）には、停止または一時停止状態であることを視聴者に通知する構成としているが、通知だけでは別の視聴者が誤って電源操作やその他の操作を行ってしまう可能性もある。従って、ステップＳ９６でＮｏと判断された場合には、制御部１８は、その異なる人物による操作入力を無効として、停止または一時停止状態を継続するように構成してもよい。この場合、入力が無効であることの警告をＴＶモニタ１５の画面に表示するようにしてもよい。これにより、別人による不用意な操作を確実に防止することが可能となる。
【０１０４】
また、上記実施例６では、ステップＳ９１において、一定時間経過しても顔画像検出信号を受信しなと判断した場合には、視聴者が再生番組を見ているかどうか分からないと判断して、再生動作を停止または一時停止する（ステップＳ９３）ように構成しているが、この場合、再生動作は停止せずに、次のステップＳ９４において、その時点での個人特定情報と、再生中の記録媒体１１の識別コードと、個人情報入力時の再生位置アドレスとからなる再生状況データのみを、再生状況記憶部１３に記憶するようにしてもよい。これにより、同じドラマや映画等を複数人で視聴している場合に、一人がその場を離れても再生動作を継続することで、他の人の視聴を妨げないようにすることができる。
【０１０５】
なお、上記各実施例４〜６において、１つの番組（ドラマや映画等）の視聴を終了したときには、再生状況記憶部１３に記憶されている当該視聴者の再生状況データを自動的に消去するようにしてもよい。これにより、不要となった再生状況データが再生状況記憶部１３にいつまでも残っているといった不具合を解消することができる。
【実施例７】
【０１０６】
図１３は、本実施例７の処理動作を示すフローチャートであり、記録媒体１１に記録されている情報を手動で消去する場合の実施例である。
【０１０７】
リモコン２３を操作して、再生状況記憶部１３に記憶されている任意の再生状況データを消去しようとした場合（ステップＳ１０１でＹｅｓと判断された場合）、個人認証部２６は、カメラ部２５により撮影された視聴者の顔画像の特徴量と、予め内部メモリに登録されている家族全員の顔画像の特徴量とを比較することによって視聴者を認証（特定）し、その視聴者情報（個人特定情報）と、消去しようとしている再生状況データに含まれる個人特定情報とを比較して、消去しようとしている人物と再生状況データに含まれている人物とが同一人物であるか否かを確認する（ステップＳ１０２）。その結果、同一人物である場合（ステップＳ１０２でＹｅｓと判断された場合）には、その消去対象とされた再生状況データのみを消去する（ステップＳ１０３）。
【０１０８】
一方、ステップＳ１０２での判断の結果、同一人物でないと判断された場合（Ｎｏと判断された場合）には、次に、その人物が本装置の管理者（この管理者は、事前に登録しておくものとする。）であるか否かを確認する（ステップＳ１０４）。その結果、管理者である場合（ステップＳ１０４でＹｅｓと判断された場合）には、その消去対象とされた再生状況データのみを消去する（ステップＳ１０３）。一方、管理者でもない場合（ステップＳ１０４でＮｏと判断された場合）には、消去できない旨の警告メッセージをＴＶモニタ１５に表示する（ステップＳ１０５）。
【実施例８】
【０１０９】
図１４は、本実施例８の処理動作を示すフローチャートであり、視聴途中の情報がある場合には、電源オン時にその情報を視聴者に通知する実施例である。
【０１１０】
リモコン２３によってテレビ電源がオンされると（ステップＳ１１１でＹｅｓと判断さると）、制御部１８は、カメラ部２５を制御して視聴者の撮影を開始する（ステップＳ１１２）。
【０１１１】
個人認証部２６は、カメラ部２５により撮影された視聴者の顔画像の特徴量と、予め内部メモリに登録されている家族全員の顔画像の特徴量とを比較することによって視聴者を認証（特定）し、その認証結果（現在視聴中の特定の人物の顔画像の特徴量）を内部メモリに保存する（ステップＳ１１３）。
【０１１２】
次に、制御部１８は、認証した視聴者の個人特定情報が、再生状況記憶部１３に記憶されている種々の再生状況データの中に含まれているか否かを確認する（ステップＳ１１４）。その結果、視聴者の個人特定情報が任意の再生状況データに含まれている場合（ステップＳ１１４でＹｅｓと判断された場合）には、視聴途中の情報（ドラマや映画等）があることを視聴者に通知するメッセージをＴＶモニタ１５に表示する（ステップＳ１１５）。これにより、視聴者は、視聴途中のものがあることを認識することができる。
【図面の簡単な説明】
【０１１３】
【図１】本発明の実施形態１に係る映像再生装置の全体構成を示す機能ブロック図である。
【図２】再生状況データを再生状況記憶部に記憶する場合の実施例１の処理動作を示すフローチャートである。
【図３】再生状況データを再生状況記憶部に記憶する場合の実施例２の処理動作を示すフローチャートである。
【図４】再生状況記憶部のデータ構成例を示す説明図である。
【図５】実施例３の再生処理動作を示すフローチャートである。
【図６】本発明の実施形態２に係る映像再生装置の全体構成を示す機能ブロック図である。
【図７】実施例４の再生処理動作を示すフローチャートである。
【図８】実施例４の再生処理動作を示すフローチャートである。
【図９】実施例５の再生処理動作を示すフローチャートである。
【図１０】実施例５の再生処理動作を示すフローチャートである。
【図１１】実施例６の再生処理動作を示すフローチャートである。
【図１２】実施例６の再生処理動作を示すフローチャートである。
【図１３】記録媒体に記録されている情報を消去する場合の処理動作を示すフローチャートである。
【図１４】視聴途中の情報を電源オン時に視聴者に通知する場合の処理動作を示すフローチャートである。
【符号の説明】
【０１１４】
１Ａ，１Ｂ  映像再生装置
１１  記録媒体（映像メディア）
１２  再生部
１３  再生状況記憶部
１４  ＯＳＤ回路
１５  ＴＶモニタ
１８  制御部
２１  キー入力部
２２  受信部
２３  リモコン
２５  カメラ部
２６  個人認証部
２８  時計部
２９  回マー回路部
【図１】
2006319853.tif 000003
【図２】
2006319853.tif 000004
【図３】
2006319853.tif 000005
【図４】
2006319853.tif 000006
【図５】
2006319853.tif 000007
【図６】
2006319853.tif 000008
【図７】
2006319853.tif 000009
【図８】
2006319853.tif 000010
【図９】
2006319853.tif 000011
【図１０】
2006319853.tif 000012
【図１１】
2006319853.tif 000013
【図１２】
2006319853.tif 000014
【図１３】
2006319853.tif 000015
【図１４】
2006319853.tif 000016